(57)【特許請求の範囲】
【請求項１】
２種類のメモリーカードを収容可能なカードトレイと、該カードトレイが挿入されるトレイ挿入部を有するハウジングと、前記トレイ挿入部内に突出して一方のメモリーカードの信号端子と接触する複数の奥側コンタクトと、前記トレイ挿入部内に突出して他方のメモリーカードの信号端子と接触する複数の手前側コンタクトとを備え、前記カードトレイに前記メモリーカードの内一つを適宜選択して収容させるようにしたトレイ式カードコネクタにおいて、
前記カードトレイは、前記一方のメモリーカードがその長手方向をトレイ挿入方向に向けて収容される縦向き収容部と、前記他方のメモリーカードがその長手方向をコネクタ幅方向に向けて収容される横向き収容部とを備え、前記縦向き収容部と横向き収容部とが互いに直交するとともに一部を互いに共用する配置に形成され、
前記手前側コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングに支持させ、前記弾性接触部の先端部に形成された接点部を前記他方のメモリーカードの信号端子と接触させるようにしてなることを特徴としてなるトレイ式カードコネクタ。
【請求項２】
前記他方のメモリーカードは、カード全長が前記一方のメモリーカードの全幅より長く、且つ、カード全幅が一方のメモリーカードの全長より狭く形成され、前記縦向き収容部のコネクタ幅方向中間部位置と前記横向き収容部のコネクタ幅方向中間部位置とが重複するように前記縦向き収容部と横向き収容部とを配置してなる請求項１に記載のトレイ式カードコネクタ。
【発明の詳細な説明】
【技術分野】
【０００１】  本発明は、ＩＣカードやフラッシュメモリーカード等のメモリーカードと携帯電話機やスマートフォン等の電子機器に搭載されたプリント配線基板とを電気的に接続するトレイ式カードコネクタであって、規格の異なる２種類のメモリーカードに対応可能なトレイ式カードコネクタに関する。
【背景技術】
【０００２】  従来、携帯電話機やスマートフォン等の電子機器の外部記憶媒体としてＩＣカードやフラッシュメモリーカード等のメモリーカードが使用されており、このメモリーカードと電子機器に搭載されたプリント配線基板とをカードコネクタを介して電気的に接続させている。【０００３】  このメモリーカードには、規格、即ち、外径形状や信号端子（パッド）位置等が異なる複数種類のものが存在するのに対し、従来のカードコネクタは、単一規格にのみ対応したものであり、一つの電子機器で複数種類のメモリーカードの内の一つを選択して使用するような場合、各メモリーカードの規格に対応した複数のカードコネクタ又は複数のカード挿入部を有するコネクタを用いる必要があり、その分カードコネクタがプリント配線基板に占める面積を広く取らざるを得ず、電子機器の小型化を阻害する要因となっていた。【０００４】  一方、このような問題に対し、規格の異なる２種類のメモリーカードに対応可能なトレイ式カードコネクタが知られている（例えば、特許文献１を参照）。【０００５】  この２種類のメモリーカードに対応可能なトレイ式カードコネクタは、２種類のメモリーカードを収容可能なカードトレイと、カードトレイが挿入されるトレイ挿入部を有するハウジングと、トレイ挿入部内に突出して一方のメモリーカードの信号端子と接触する複数の奥側コンタクトと、トレイ挿入部内に突出して他方のメモリーカードの信号端子と接触する複数の手前側コンタクトとを備え、カードトレイに２種類のメモリーカードの内一方を適宜選択して収容させ、それをトレイ挿入部に挿入することにより選択されたメモリーカードの信号端子が対応するコンタクトと弾性的に接触し、選択されたメモリーカードとプリント配線基板とが電気的に接続されるようになっている。【０００６】  このカードトレイ１には、図１１に示すように、一方のメモリーカードＡがその長手方向をトレイ挿入方向に向けて収容される一方の収容部２と、他方のメモリーカードＢがその長手方向をトレイ挿入方向に向けて収容される他方の収容部３とが形成され、この両収容部２，３が各メモリーカードＡ，Ｂの信号端子の位置が重ならないようにトレイ挿入方向或いはトレイ挿入方向とコネクタ幅方向の両方でずらして配置され、且つ両収容部２，３の互いに重複する部分を互いに共用する配置になっているので、一つのカードトレイ１に規格の異なる２種類のメモリーカードＡ，Ｂの内から一方を選択して収容できるようになっている。
【先行技術文献】
【特許文献】
【０００７】
【特許文献１】  特開２００８−１０８６９５号公報
【発明の概要】
【発明が解決しようとする課題】
【０００８】  しかしながら、上述の如き従来の技術では、２種類のメモリーカードが同じ長さであって、一方のカード幅が他方に比べて狭い場合、図１２（ａ）に示すように、両収容部２，３をトレイ挿入方向でずらしただけでは、共用部分に位置決め用の構成を配置することができないので、一方のメモリーカードの共用部分に配置される部分の両側縁及び後縁部（又は前縁部）をガイドすることができずメモリーカードを安定した状態で収容できない虞がある。【０００９】  一方、図１２（ｂ）に示すように、両収容部２，３をトレイ挿入方向とトレイ幅方向の両方でずらした配置に形成すると各メモリーカードを確実に位置決めすることができるが、その分、両収容部がカードトレイ上に占有する面積が大きくなりカードトレイを大型化せざるをえずコネクタ全体の小型化を阻害する虞があった。【００１０】  また、カードトレイをハウジングに挿入する際に、メモリーカードの前縁部が奥側コンタクトと接触し、メモリーカードに当該コンタクトの弾性により引き出し方向の負荷が作用する場合があり、メモリーカードがカードトレイに確実に保持されていないとカードトレイの挿入不良を誘発する虞があり、場合によってはメモリーカードがカードトレイより脱落する虞があった。【００１１】  更に、２種類のメモリーカードが同じ長さであって、一方のカード幅が他方に比べて狭い場合、一方のメモリーカードは、外形上、第１収容部及び第２収容部の双方に収容できる場合があり、メモリーカードが誤った収容部に収容されてしまう虞があった。【００１２】  そこで、本発明は、このような従来の問題に鑑み、規格の異なる２種類のメモリーカードの何れか一方を選択して正確且つ安定した状態に収容でき、小型化が可能なトレイ式カードコネクタの提供を目的としてなされたものである。
【課題を解決するための手段】
【００１３】  上述の如き従来の問題を解決し、所期の目的を達成するための請求項１に記載の発明の特徴は、２種類のメモリーカードを収容可能なカードトレイと、該カードトレイが挿入されるトレイ挿入部を有するハウジングと、前記トレイ挿入部内に突出して一方のメモリーカードの信号端子と接触する複数の奥側コンタクトと、前記トレイ挿入部内に突出して他方のメモリーカードの信号端子と接触する複数の手前側コンタクトとを備え、前記カードトレイに前記メモリーカードの内一つを適宜選択して収容させるようにしたトレイ式カードコネクタにおいて、前記カードトレイは、前記一方のメモリーカードがその長手方向をトレイ挿入方向に向けて収容される縦向き収容部と、前記他方のメモリーカードがその長手方向をコネクタ幅方向に向けて収容される横向き収容部とを備え、前記縦向き収容部と横向き収容部とが互いに直交するとともに一部を互いに共用する配置に形成され、前記手前側コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングに支持させ、前記弾性接触部の先端部に形成された接点部を前記他方のメモリーカードの信号端子と接触させるようにしてなることにある。【００１４】  請求項２に記載の発明の特徴は、請求項１の構成に加え、前記他方のメモリーカードは、カード全長が前記一方のメモリーカードの全幅より長く、且つ、カード全幅が一方のメモリーカードの全長より狭く形成され、前記縦向き収容部のコネクタ幅方向中間部位置と前記横向き収容部のコネクタ幅方向中間部位置とが重複するように前記縦向き収容部と横向き収容部とを配置してなることにある。
【発明の効果】
【００１５】  本発明に係るトレイ式カードコネクタは、上述したように、２種類のメモリーカードを収容可能なカードトレイと、該カードトレイが挿入されるトレイ挿入部を有するハウジングと、前記トレイ挿入部内に突出して一方のメモリーカードの信号端子と接触する複数の奥側コンタクトと、前記トレイ挿入部内に突出して他方のメモリーカードの信号端子と接触する複数の手前側コンタクトとを備え、前記カードトレイに前記メモリーカードの一方を適宜選択して収容させるようにしたトレイ式カードコネクタにおいて、前記カードトレイは、前記一方のメモリーカードがその長手方向をトレイ挿入方向に向けて収容される縦向き収容部と、前記他方のメモリーカードがその長手方向をコネクタ幅方向に向けて収容される横向き収容部とを備え、前記縦向き収容部と横向き収容部とが互いに直交するとともに一部を互いに共用する配置に形成されたことにより、各メモリーカードを安定且つ正確に収容できる。また、各メモリーカードの収容する際の方向が異なるので誤って搭載することが防止される。【００１６】  また、本発明において、前記他方のメモリーカードは、カード全長が前記一方のメモリーカードの全幅より長く、且つ、カード全幅が一方のメモリーカードの全長より狭く形成され、前記縦向き収容部のコネクタ幅方向中間部位置と前記横向き収容部のコネクタ幅方向中間部位置とが重複するように前記縦向き収容部と横向き収容部とを配置してなることにより、両メモリーカードをバランスよくカードトレイに収容することができる。【００１７】  更に本発明において、前記手前側コンタクトは、カードトレイ挿入方向と交差する方向に向けた弾性支持部と、該弾性支持部の一端側よりカードトレイ挿入方向に向けて傾斜した形状の弾性接触部とを備え、前記弾性支持部の他端側をハウジングに支持させ、前記弾性接触部の先端部に形成された接点部を前記他方のメモリーカードの信号端子と接触させるようにしてなることにより、メモリーカードをその長手方向をコネクタ幅方向に向けたことでトレイ挿入方向間の信号端子間方向間隔が狭い場合でも、メモリーカードと接触する部分をトレイ挿入方向に向けるとともに十分なバネスパンを確保することができる。
【図面の簡単な説明】
【００１８】
【図１】  本発明に係るトレイ式カードコネクタの一例を示す分解斜視図である。
【図２】  同上の底面図である。
【図３】  同上のカードトレイを挿入した状態を示す縦断面図である。
【図４】  （ａ）はメモリーカードの一例を示す底面図、（ｂ）は同他のメモリーカードの一例を示す底面図である。
【図５】  （ａ）は図１中のカードトレイを示す底面図、（ｂ）は同縦断面図である。
【図６】  （ａ）は同上のカードトレイに一方のメモリーカードを収容させた状態を示す底面図、（ｂ）は同他方のメモリーカードを収容させた状態を示す底面図である。
【図７】  図１中のハウジングを示す分解斜視図である。
【図８】  図１中の奥側コンタクト及び手前側コンタクトの配列状態を示す斜視図である。
【図９】  同上の手前側コンタクトの一例を示す斜視図である。
【図１０】  同上の奥側コンタクトの一例を示す斜視図である。
【図１１】  従来のトレイ式カードコネクタに使用されるカードトレイの一例を示す平面図である。
【図１２】  同上の二つの収容部の配置パターンの概要を示す平面図である。
【発明を実施するための形態】
【００１９】  次に、本発明に係るトレイ式カードコネクタの実施の態様を図１〜図１０に示した実施例に基づいて説明する。尚、図中符号１０はトレイ式カードコネクタであり、また、上述の従来例と同様の構成には同一符号を付して説明し、符号Ａ，Ｂは互いに規格が異なるメモリーカードである。
【００２０】  トレイ式カードコネクタ１０は、２種類のメモリーカードＡ，Ｂを収容可能なカードトレイ１１と、カードトレイ１１が挿入されるトレイ挿入部１２を有するハウジング１３と、トレイ挿入部１２内に突出して一方のメモリーカードＡの信号端子ａ１，ａ１…と接触する複数の奥側コンタクト１４，１４…と、トレイ挿入部１２内に突出して他方のメモリーカードＢの信号端子ｂ１，ｂ１…と接触する複数の手前側コンタクト１５，１５…とを備え、カードトレイ１１にメモリーカードＡ，Ｂの内一方を適宜選択して収容させ、その状態でカードトレイ１１をトレイ挿入部１２に挿入することにより選択されたメモリーカードの信号端子が対応するコンタクトと弾性的に接触し、選択されたメモリーカードとプリント配線基板とがコネクタを介して電気的に接続されるようになっている。
【００２１】  ２種類のメモリーカードＡ，Ｂは、カード全長が同じであって、一方のメモリーカードＡのカード全幅が他方のメモリーカードＢの全幅に比べて狭い形状となっている。
【００２２】  一方のメモリーカードＡは、例えば、図４（ａ）に示す如き小型のフラッシュメモリーカードであって、カード全幅に比してカード全長が長い矩形状に形成され、カード全長方向の一方の端部に他の部分に比してカード幅の狭い縮幅部Ａａを有している。
【００２３】  この縮幅部Ａａは、カード幅方向の一方に片寄せて配置され、この縮幅部Ａａの片面にカード全長方向に向けた複数の信号端子ａ１，ａ１…が互いに平行にカード幅方向に並べて配列されている。
【００２４】  また、この一方のメモリーカードＡには、カード全長方向の縮幅部Ａａとは反対側の端部に、信号端子が形成された面とは反対側に盛り上がった形状の拡厚部Ａｂが形成されている。
【００２５】  他方のメモリーカードＢは、例えば、図４（ｂ）に示す如きＩＣカードであって、カード全幅に比してカード全長が長い矩形状に形成され、カード全長が一方のメモリーカードＡの全幅より長く、且つ、カード全幅が一方のメモリーカードＡより狭く形成されている。尚、図中符号Ｂａは矩形状の一方の隅部に斜め方向に切欠いた形状の位置決め部である。
【００２６】  このメモリーカードＢの片面には、複数の信号端子ｂ１，ｂ１…をカード幅方向に並べてなる一対の信号端子列がカード全長方向に間隔を置いて並列配置に形成されている。
【００２７】  カードトレイ１１は、図５に示すように、片面側に２種類のメモリーカードＡ，Ｂの内一方を選択して収容可能な平板状のトレイ本体２０と、トレイ本体２０のトレイ挿入方向手前側に配置された前縁蓋部２１とを有している。
【００２８】  トレイ本体２０は、片面側に一方のメモリーカードＡがその長手方向をトレイ挿入方向に向けて収容される縦向き収容部２２と、他方のメモリーカードＢがその長手方向をコネクタ幅方向に向けて収容される横向き収容部２３とを備え、縦向き収容部２２と横向き収容部２３とが互いに十字状に直交するとともに重複する一部を互いに共用する配置に形成されている。
【００２９】  また、トレイ本体２０の側面部には、トレイ挿入部１２の両側部に配置された抜け止め片２４と互いに係合する係合凹部２５が形成され、この係合凹部２５に抜け止め片２４の係合突起２４ａが係合することによりカードトレイ１１がハウジング１３にロックされ、カードトレイ１１の引き出し方向の移動を規制できるようになっている。
【００３０】  縦向き収容部２２は、一方のメモリーカードＡの外形状に合わせてトレイ本体２０の片面部を凹ませた形状に形成され、一方のメモリーカードＡが信号端子側面を開口側に向けて収容されるようになっている。
【００３１】  即ち、縦向き収容部２２は、トレイ本体２０のトレイ挿入方向奥側部にメモリーカードＡの縮幅部Ａａが嵌め込まれる縮幅凹部２６と、縮幅凹部２６のトレイ挿入方向手前側に連続して配置された広幅凹部２７とを連続して備えた形状に形成されている。
【００３２】  また、広幅凹部２７には、拡厚部Ａｂが嵌め込まれる段差部２８が他の部分より一段深い形状に形成され、メモリーカードＡが信号端子側面を開口側に向けて収容された際に、メモリーカードＡがトレイ本体２０に対しフラットな安定した状態で収容されるようになっている。
【００３３】  一方、この縦向き収容部２２の横向き収容部２３との共用に係る部分は、横向き収容部２３と連通するように形成され、即ち、縦向き収容部２２の輪郭を成す内側縁の内、共用に係る部分が取り除かれた状態或いは極めて低い状態に形成され、他方のメモリーカードＢがトレイ幅方向に向けて収容されるのを妨げないようになっている。
【００３４】  この縦向き収容部２２に収容されたメモリーカードＡは、図６（ａ）に示すように、メモリーカードＡの縮幅部Ａａが縮幅凹部２６内に嵌り込むとともにメモリーカードＡの他端部が広幅凹部２７内に嵌り込み、メモリーカードＡの全長方向両端縁がそれぞれ縦向き収容部２２のトレイ挿入方向両端内側面部２６ａ，２７ａにそれぞれ当接し、また、縮幅部Ａａの端部両側面部が縮幅凹部２６の両内側面部２６ｂ，２６ｂに当接するとともにメモリーカードＡの他端側面部が広幅凹部２７の両内側面部２７ｂ，２７ｂと当接してトレイ挿入方向及びトレイ幅方向の移動が規制される。
【００３５】  一方、横向き収容部２３は、他方のメモリーカードＢの外形に合わせてトレイ本体２０の片面部を凹ませた形状に形成され、他方のメモリーカードＢが信号端子側面を開口側に向けて収容されるようになっている。
【００３６】  即ち、横向き収容部２３は、トレイ本体２０の片面側にトレイ幅方向長さに比してトレイ挿入方向長さが短い矩形凹状に形成され、縦向き収容部２２に分断されてトレイ本体２０のトレイ幅方向両側部に一対の嵌合部２９，３０を備えた形状に形成されている。
【００３７】  また、一方の嵌合部２９には、位置決め部Ｂａの位置に合わせて傾斜部２９ａが形成され、位置決め部Ｂａの位置を傾斜部２９ａの位置に合わせることにより、メモリーカードＢが一方向でのみ収容されるようになっている。
【００３８】  この横向き収容部２３の縦向き収容部２２との共用に係る部分は、縦向き収容部２２と連通するように形成され、即ち、横向き収容部２３の輪郭を成す内側縁の内、共用に係る部分が取り除かれた状態に形成され、一方のメモリーカードＡが縦向き収容部２２にトレイ挿入方向に向けて収容されるのを妨げないようになっている。
【００３９】  この横向き収容部２３に収容されたメモリーカードＢは、図６（ｂ）に示すように、カード全長方向の両端部がそれぞれ嵌合部２９，３０に嵌り込み、メモリーカードＢの先後端面がそれぞれ嵌合部２９，３０のトレイ幅方向両端内縁２９ｂ，３０ｂに当接し、メモリーカードＢのカード全長方向両端部のカード幅方向両側面が各嵌合部のトレイ挿入方向で互いに対向する内側面２９ａ，２９ｃ、３０ｃ，３０ｃに当接して、トレイ挿入方向及びカード幅方向の移動が規制されるようになっている。
【００４０】  尚、縦向き収容部２２と横向き収容部２３とは、縦向き収容部２２のコネクタ幅方向中間部位置と横向き収容部２３のコネクタ幅方向中間部位置とが重複するように縦向き収容部２２と横向き収容部２３とを配置することが好ましく、このように配置することにより、両メモリーカードＡ，Ｂをバランスよくカードトレイ１１に収容できる。
【００４１】  前縁蓋部２１は、トレイ式カードコネクタ１０がスマートフォン等の電気機器に組み込まれた際に機器筐体の外側面に露出するようになっており、カードトレイ１１がハウジング１３より排出された場合、カードトレイ１１が機器筐体の外側面より引き出し状に突出するようになっている。
【００４２】  ハウジング１３は、絶縁性合成樹脂によってモールド成形されたモールドケース３１と、その上面及び側面を覆うように組み込まれたシールドカバー３２とから構成されており、モールドケース３１の上面にトレイ挿入部１２がモールドケース３１の上面を凹ませた形状に形成され、その上面部をシールドカバー３２によって覆っている。
【００４３】  モールドケース３１には、図８に示すように配置させた奥側コンタクト１４，１４…及び手前側コンタクト１５，１５…がインサート成形により一体的に組み込まれ、トレイ挿入部１２のトレイ挿入方向奥側に複数の奥側コンタクト１４，１４…がコネクタ幅方向に間隔を置いた平行配置に備えられ、トレイ挿入部１２のトレイ挿入方向手前側の底板部に複数の手前側コンタクト１５，１５…がトレイ挿入方向に並べた配置に備えられ、奥側コンタクト１４，１４…が一方のメモリーカードＡの片面に配置された信号端子ａ１，ａ１…と接触し、手前側コンタクト１５，１５…が他方のメモリーカードＢの片面に形成された信号端子ｂ１，ｂ１…と接触するようになっている。
【００４４】  尚、図中符号３３は、トレイ挿入部１２底部のトレイ挿入方向奥側に底板厚み方向に貫通したトレイ幅方向に長い形状に形成された横向き回避窓、符号３４はトレイ挿入部１２のトレイ挿抜方法手前側にトレイ幅方向に間隔を置いた平行配置に形成された一対の縦向き回避窓である。
【００４５】  奥側コンタクト１４，１４…は、図９に示すように、弾性を有する導電性金属板材を打ち抜き・折り曲げ加工することにより形成され、モールドケース３１に固定される固定片部４０と、固定片部４０にカードトレイ挿抜方向に向けて支持させた弾性接触片部４１とを一体に備えている。
【００４６】  固定片部４０は、互いに間隔を置いて配置された一対の埋設片４０ａ，４０ｂと、両埋設片４０ａ，４０ｂの互いに対向する側縁間を連結する細長板状の連結片４０ｃとをもってコ字状に形成され、両埋設片４０ａ，４０ｂがインサート成形によりモールドケース３１底部に一体的に組み込まれ、連結片４０ｃが横向き回避窓３３のトレイ挿入方向で互いに対抗する内縁面間に架け渡した配置に固定されるようになっている。
【００４７】  また、奥側コンタクト１４には、固定片部４０の埋設片４０ｂと連続配置にトレイ挿入方向に延出した形状の接続端子片部４２が一体に形成され、この接続端子片部４２の先端部４２ａがハウジング１３底面に露出して、プリント配線基板に形成された接続パターンに半田付けされるようになっている。
【００４８】  弾性接触片部４１は、横向き回避窓３３の内縁より突出した埋設片４０ａの縁部よりコネクタ挿入方向奥側且つシールドカバー３２側に向けて傾斜した形状に形成され、その先端部に円弧状の接点部４１ａが形成されている。
【００４９】  一方、手前側コンタクト１５，１５…は、図１０に示すように、弾性を有する導電性金属板材を打ち抜き・折り曲げ加工することにより形成され、カードトレイ挿入方向と交差する方向に向けた弾性支持部５０と、弾性支持部５０の一端側にカードトレイ挿抜方向に向けて支持させた弾性接触部５１とを一体に備え、弾性支持部５０と弾性接触部５１とが平面視Ｌ字状を成すように形成されている。
【００５０】  弾性支持部５０は、細長板状に形成され、長手方向の一端、即ち弾性接触部５１とは反対側の端部がインサート成形によりモールドケース３１に埋設され、他端側がトレイ挿入部１２の底板部に形成された縦向き回避窓３４の内側縁より回避窓３４内にコネクタ幅方向中央側に向けて水平に突出している。
【００５１】  また、弾性支持部５０の一端側には、接続端子部５２が一体に形成され、この接続端子部５２の先端部５２ａがハウジング１３側縁部の底面に露出され、半田付け等によりプリント配線基板の接続パターンに固着されるようになっている。
【００５２】  一方、弾性接触部５１は、弾性支持部５０の中央側端部側縁よりトレイ挿入方向奥側且つシールドケース側に向けた斜め方向に向けて傾斜した形状に形成され、トレイ挿入部１２内に突出して先端の接点部５１ａがトレイ挿入部１２内底面よりシールドカバー側に浮き上がった状態に備えられている。
【００５３】  メモリーカードＢを選択して横向き収容部２３に収容させた場合、信号端子ｂ１，ｂ１がトレイ挿入方向に直列に並べて配置されるため、各手前側コンタクト１５，１５…の接点部５１ａ，５１ａ…は、トレイ挿入方向に間隔を置いて配置される必要がある。
【００５４】  一方、各手前側コンタクト１５の弾性接触部５１は、カードトレイ挿入時におけるカードトレイ１１とコンタクト１５とが接触することによる変形を防止するため、トレイ挿入方向奥側且つシールドケース側に向けて傾斜した形状とし、カードトレイ１１の挿入に伴って弾性変形できることが好ましい。
【００５５】  従って、各手前側コンタクト１５，１５…は、トレイ挿入方向奥側且つシールドケース側に向けて傾斜した形状の弾性接触部５１がトレイ挿入方向に向けて直列に配置されることが好ましく、その為、弾性接触部５１の長さを十分に確保できない。
【００５６】  しかしながら、本願発明における手前側コンタクト１５では、弾性支持部５０と弾性接触部５１とが平面視Ｌ字状を成すように形成されたことにより、弾性支持部５０の縦向き回避窓３４に露出した部分が弾性接触部５１とともにバネ材として機能し、十分なバネスパンが確保されている。
【００５７】  よって、メモリーカードＢをそのカード全長方向をトレイ幅方向に向けてカードトレイ１１に収容した場合にも対応できるようになっている。
【００５８】  このように構成されたトレイ式カードトレイ１０は、カードトレイ１１に縦向き収容部２２と横向き収容部２３とが互いに直交するとともに一部を互いに共用する配置に形成されたことにより、少ないスペースで２種類のメモリーカードＡ，Ｂの内一方を適宜選択して収容することができ、また、メモリーカード毎に収容する方向が異なるので誤って収容することを防止することができる。
【００５９】  また、メモリーカードＡ，Ｂを収容したカードトレイ１１をハウジング１３に挿入する際に、メモリーカードＡ，Ｂが奥側コンタクト１４，１４…又は手前側コンタクト１５，１５…と接触し、メモリーカードＡ，Ｂに引き出し方向の負荷が作用しても、メモリーカードＡ，Ｂが縦向き収容部２２又は横向き収容部２３内に嵌り込みカードトレイ１１に確実に保持されているので、各メモリーカードが収容部のトレイ引き出し側縁部に反力をとって引き出し方向の負荷に対抗することができるのでカードトレイ１１を確実に挿し込むことができる。
【００６０】  尚、メモリーカードの種類は、上述の実施例で例示した規格のものに拘泥されず、２種類のメモリーカードＡ，Ｂの全長が異なるものであってもよく、双方のメモリーカードが共に信号端子をカード全長方向の一方の端部にカード幅方向に配列したものであってもよい。
【符号の説明】
【００６１】  Ａ，Ｂ  メモリーカード
１０  トレイ式カードコネクタ
１１  カードトレイ
１２  トレイ挿入部
１３  ハウジング
１４  奥側コンタクト
１５  手前側コンタクト
２０  トレイ本体
２１  前縁蓋部
２２  縦向き収容部
２３  横向き収容部
２４  抜け止め片
２５  係合凹部
２６  縮幅凹部
２７  広幅凹部
２８  段差部
２９  嵌合部
３０  嵌合部
３１  モールドケース
３２  シールドカバー
３３  横向き回避窓
３４  縦向き回避窓
４０  固定片部
４１  弾性接触片部
４２  接続端子片部
５０  弾性支持部
５１  弾性接触部
５２  接続端子部
【図１】
0005424003.tif 000002
【図２】
0005424003.tif 000003
【図３】
0005424003.tif 000004
【図４】
0005424003.tif 000005
【図５】
0005424003.tif 000006
【図６】
0005424003.tif 000007
【図７】
0005424003.tif 000008
【図８】
0005424003.tif 000009
【図９】
0005424003.tif 000010
【図１０】
0005424003.tif 000011
【図１１】
0005424003.tif 000012
【図１２】
0005424003.tif 000013